(57)【要約】【課題】従来の光コネクタ用キャップでは、光コネクタ（光コネクタプラグ）の先端部を収容して、光コネクタに装着したときに、光コネクタからの出射光のキャップ内部での反射光が、光コネクタに戻って、ノイズ等、通信品質低下の原因なることがあったため、このような不都合を解消できる光コネクタ用キャップの開発が求められていた。【解決手段】光コネクタ１１の先端部１１ａを収納するコネクタ収納空間１４内に、光コネクタ１１からの出射光１７を、光コネクタ１１に戻さない方向に反射する反射面１６が設けられている光コネクタ用キャップ１０、あるいは、出射光をコネクタ収容空間１４内にて反射した反射光を、通信に影響しない条件で光ファイバ１２に戻す光コネクタ用キャップを提供する。【選択図】  図１
2004325522.tif 000002
【特許請求の範囲】
【請求項１】
光コネクタ（１１）の先端部（１１ａ）に装着される光コネクタ用キャップであって、
前記光コネクタの先端部を収容するコネクタ収容空間（１４）を有し、このコネクタ収容空間の内面のうち、前記光コネクタの端面（１３）に露出されている光ファイバ（１２）からの出射光（１７）が照射される部位が、前記出射光を、光コネクタの前記光ファイバに戻さない方向に反射する反射面（１６）になっていることを特徴とする光コネクタ用キャップ（１０）。
【請求項２】
前記反射面が、前記光コネクタの前記端面からの出射光を、該出射光に対して傾斜された反射光（１８）を形成するようにして反射する傾斜面あるいは曲面に形成されていることを特徴とする請求項１記載の光コネクタ用キャップ。
【請求項３】
コネクタ収容空間の内面のうち、前記反射面を避けた部位に、前記反射面による前記出射光の反射光を減衰、吸収する出射光減衰吸収部（１４ａ）が設けられていることを特徴とする請求項１又は２記載の光コネクタ用キャップ。
【請求項４】
光コネクタ（１１）の先端部（１１ａ）に装着される光コネクタ用キャップであって、
前記光コネクタの先端部を収容するコネクタ収容空間（１４）を有し、前記光コネクタの端面（１３）に露出されている光ファイバ（１２）からの出射光（１７）を前記コネクタ収容空間内にて反射した反射光を前記光ファイバに照射するようになっており、前記反射光は、前記コネクタ収容空間内での前記出射光の反射によって、前記光ファイバに係る通信の支障にならないように、前記光ファイバに照射されるようになっていることを特徴とする光コネクタ用キャップ（１０Ａ）。
【請求項５】
前記出射光が、前記コネクタ収容空間内での反射によって、前記光ファイバに係る通信の支障にならない程度に減衰された状態で、前記光ファイバに照射されるようになっていることを特徴とする請求項４記載の光コネクタ用キャップ。
【請求項６】
前記出射光を前記コネクタ収容空間内にて反射した反射光が、前記光ファイバに係る通信の支障にならない入射角度を以て、前記光ファイバに照射されるようになっていることを特徴とする請求項４又は５記載の光コネクタ用キャップ。
【発明の詳細な説明】
【０００１】
【発明の属する技術分野】
本発明は、光コネクタ用キャップに関する。
【０００２】
【従来の技術】
光コネクタ（光コネクタプラグ）にあっては、接続に使用していないときに、突き合わせ接続用の端面の保護（傷付き防止、汚れ防止など）等を目的として、合成樹脂製のキャップを装着することが、従来から広く行われている（例えば、特許文献１〜３）。
【０００３】
【特許文献１】
特開平１１−２３１１４６号公報
【特許文献２】
特開平１１−２８１８４５号公報
【特許文献３】
特開２００１−２９００４６号公報
【０００４】
【発明が解決しようとする課題】
ところで、光ファイバをコネクタ接続可能に成端する光コネクタに前述のキャップを装着したとき、図５に示すように、前記光ファイバ（図５中、符号１）の伝送光が、キャップ２内に収容されている前記光コネクタ（図５中、符号３）先端から出射されると（図５中、符号４は出射光）、この出射光４がキャップ２内で反射され、１８０度反転された反射光（図５中、符号５）が光コネクタ３に戻り、光通信のノイズ等の原因になる場合があった。
また、キャップ内面によって、光コネクタからの出射光を減衰、吸収する構成のものや、光コネクタからの出射光（レーザ光）を減衰、吸収する減衰材を、光コネクタと対面するようにして、キャップ内に設置した構成のキャップも存在するが、このような構成では、光コネクタから出射されるレーザ光が極めて狭い範囲に集中的に長時間照射されて、キャップが局所的に高温に加熱され、キャップの変形や劣化、寿命の短縮といった不都合が生じる可能性がある。
【０００５】
本発明は、上述の課題を解決するために提案されたもので、キャップ内にて光コネクタから出射された光が、光コネクタに戻ることを防止して、光通信のノイズの低減等を実現できる光コネクタ用キャップを提供することを目的とする。
【０００６】
【課題を解決するための手段】
上記目的を達成するために、本発明は、光コネクタの先端部に装着される光コネクタ用キャップであって、前記光コネクタの先端部を収容するコネクタ収容空間を有し、このコネクタ収容空間の内面のうち、前記光コネクタの端面に露出されている光ファイバからの出射光が照射される部位が、前記出射光を、光コネクタの前記光ファイバに戻さない方向に反射する反射面になっていることを特徴とする光コネクタ用キャップを提供する。
また、この発明においては、前記反射面が、例えば、前記光コネクタの前記端面からの出射光を、該出射光に対して傾斜された反射光を形成するようにして反射する傾斜面あるいは曲面に形成されている構成を採用できる。
また、この光コネクタ用キャップでは、コネクタ収容空間の内面のうち、前記反射面を避けた部位に、前記反射面による前記出射光の反射光を減衰、吸収する出射光減衰吸収部が設けられている構成も採用可能である。
また、本発明は、光コネクタの先端部に装着される光コネクタ用キャップであって、前記光コネクタの先端部を収容するコネクタ収容空間を有し、前記光コネクタの先端部を収容するコネクタ収容空間（１４）を有し、前記光コネクタの端面に露出されている光ファイバからの出射光を前記コネクタ収容空間内にて反射した反射光を前記光ファイバに照射するようになっており、前記反射光は、前記コネクタ収容空間内での前記出射光の反射によって、前記光ファイバに係る通信の支障にならないように、前記光ファイバに照射されるようになっていることを特徴とする光コネクタ用キャップを提供する。この光コネクタ用キャップでは、例えば、前記出射光が、前記コネクタ収容空間内での反射によって、前記光ファイバに係る通信の支障にならない程度に減衰された状態で、前記光ファイバに照射されるようになっている構成や、前記出射光を前記コネクタ収容空間内にて反射した反射光が、前記光ファイバに係る通信の支障にならない入射角度を以て、前記光ファイバに照射されるようになっている構成等を採用できる。
【０００７】
【発明の実施の形態】
以下、本発明の一実施形態について図面を参照して説明する。
図１、図２（ａ）〜（ｃ）において、符号１０は本発明に係る光コネクタ用キャップ、１１は光コネクタ（光コネクタプラグ）、１２は光ファイバである。
光コネクタ１１は、光ファイバ１２先端を突き合わせ接続可能に成端しており、その先端の端面１３（ここでは、突き合わせ接続用の端面。以下、接合端面とも言う）には、前記光ファイバ１２の先端が露出されている。
【０００８】
光コネクタ用キャップ１０は、合成樹脂による一体成形品であり、光コネクタ１１の少なくとも先端部１１ａ（接合端面１３の側）を、内側のコネクタ収容空間１４に収容することで、前記光コネクタ１１先端部を覆うようにして、光コネクタ１１に脱着可能に装着されるようになっている。つまり、光コネクタ１１の先端部１１ａに被せるようにして装着される。
この実施の形態では、光コネクタ１１として、フェルール１１ｂをハウジング内に収容した構造の光コネクタプラグを採用しており、前記端面１３は、フェルール１１ｂ先端の突き合わせ接続用の接合端面である。この光コネクタ１１に適用される光コネクタ用キャップ１０としては、少なくともフェルール１１ｂ先端を収容するものであれば良く、例えば、図２に例示したように、フェルール１１ｂ先端部に加えて、フェルール１１ｂを収容したハウジング（ここでは、プラグフレーム等と呼ばれるハウジング１１ｃ、及び、つまみ（カップリング。図２中、符号１１ｄ）によって構成されるもの）の一部をも収容して装着されるものや、カップリング１１ｄを収容せず、ハウジング１１ｃの前記カップリング１１ｄから突出している部分を収容するもの等であっても良い。
【０００９】
図２に例示した光コネクタ１１は、ＳＣ形光コネクタ（ＳＣ：Ｓｉｎｇｌｅ  ｆｉｂｅｒＣｏｕｐｌｉｎｇ  ｏｐｔｉｃａｌ  ｆｉｂｅｒ  ｃｏｎｎｅｃｔｏｒ。例えばＪＩＳ  Ｃ  ５９７３に制定されるＦ０４形光コネクタ等）であるが、本発明に適用される光コネクタ１１としては、特に限定は無く、例えば、ＭＰＯ形光コネクタ（ＭＰＯ：Ｍｕｌｔｉｆｉｂｅｒ  Ｐｕｓｈ−Ｏｎ。例えば、ＪＩＳ  Ｃ  ５９７３に制定されるＦ１３形光コネクタ等）といった、フェルールをハウジング内に収容した構造の各種光コネクタプラグを採用できる。また、ＭＴ形光コネクタ（ＭＴ：Ｍｅｃｈａｎｉｃａｌｌｙ  Ｔｒａｎｓｆｅｒａｂｌｅ。例えばＪＩＳＣ  ５９８１に制定されるＦ１２形光コネクタ等）といった、いわゆるフェルール自体が光コネクタプラグとして機能するものも採用できる。フェルールをハウジング内に収容した構造の光コネクタプラグや、フェルールとしては、多心用、単心用のいずれも採用可能である。
また、光コネクタとしては、光ファイバ１２を突き合わせ接続可能に成端するものに限定されず、例えば、レーザダイオードといった半導体レーザ等である発光素子やフォトダイオード等の受光素子に対して光ファイバを光結合可能な位置に位置決めするためのもの等であっても良い。
【００１０】
光ファイバ１２としては、光ファイバ心線、光ファイバ素線、裸光ファイバ等、各種採用可能であるが、例えば、光ファイバ心線、光ファイバ素線といった被覆光ファイバの場合は、光コネクタの端面１３に露出される先端面付近が、先端に口出しされた裸光ファイバであることが好ましい。
【００１１】
この光コネクタ用キャップ１０は遮光性を有しており、光コネクタ１１に装着した状態（以下、装着状態とも言う）では、前記光ファイバ１２を経由して光コネクタ１１から出射される出射光以外には、コネクタ収容空間１４内に入り込む光は無い。また、光コネクタ用キャップ１０は、前記装着状態にて、コネクタ収容空間１４への粉塵等の侵入を防止する防塵性が得られることが、接合端面１３の清浄維持（接続時の光特性の維持）の点で、より好ましい。
なお、光コネクタ用キャップは、必ずしも合成樹脂等による一体成形品である必要は無く、複数部品を一体化した構成であっても構わない。
【００１２】
図１中、符号１５は、前記光コネクタ１１を前記コネクタ収容空間１４に挿入するための開口部であり、コネクタ収容空間１４は、前記開口部１５から光コネクタ用キャップ１０内に延びる穴（又は凹所）状に形成されている。光コネクタ用キャップ１０は、具体的には、スリーブ状の側壁部１０ａと、該側壁部１０ａの軸方向一端を塞ぐ底部１０ｂとを有し、側壁部１０ａの軸方向他端部に前記開口部１５を有する構成になっている。また、前記開口部１５以外には、開口部分が存在しない構造になっている。
このコネクタ収容空間１４の前記開口部１５から延びる延在方向最奥部に位置する内面１６（コネクタ収容空間１４の内面。ここでは、光コネクタ用キャップ１０の底部１０ｂのコネクタ収容空間１４に臨む面）は、該光コネクタ用キャップ１０を装着した光コネクタ１１の先端部（換言すれば、コネクタ収容空間１４内に収容した光コネクタ１１先端部）の接合端面１３と対面されるようになっており、ここでは、この内面１６に、前記光コネクタ１１の接合端面１３からの出射光（図１中、符号１７）が照射されるようになっており、かつ、照射された出射光１７を、光コネクタ１１の端面１３に露出されている光ファイバ１２に戻さない方向に反射する反射面（以下、前記内面１６を、「反射面１６」と称する場合がある）になっている。
【００１３】
前記反射面１６は、前記光コネクタ１１の接合端面１３（具体的には、前記接合端面１３に露出されている光ファイバ１２先端）からの出射光１７を１８０度反転して反射するものではなく、反射光１８が、光コネクタ１１の端面１３に露出されている光ファイバ１２に照射されないように、出射光１７を反射角度を以て反射するようになっている。反射面１６は、出射光１７の光軸に直交する向きの面（直交面）ではなく、前記出射光１７が照射される部位が、前記直交面に対して傾斜されている面（平坦面あるいは曲面）であり、前記出射光１７を、該出射光１７に対して傾斜された反射光１８を形成するようにして反射することで、反射光１８が、光コネクタ１１の接合端面１３に露出されている光ファイバ１２に照射されないようにする機能を果たす。
なお、反射面１６は、前記出射光１７を、該出射光１７に対して傾斜された反射光１８を形成するようにして、反射角度を以て反射することで、光コネクタ１１の端面１３に露出されている光ファイバ１２への反射光１８の照射を防止できるものであれば良く、例えば、反射光１８が光コネクタ１１（詳しくは、接合端面１３）に照射されないように、出射光１７を反射するもの等、反射角度の大きさは、適宜、設定することが可能である。
【００１４】
さらに、この光コネクタ用キャップ１０では、コネクタ収容空間１４内面のうち、前記反射面１６以外の部位が、反射光１８を減衰、吸収する出射光減衰吸収部として機能する。図１において具体的には、出射光減衰吸収部は、光コネクタ用キャップ１０の側壁部１０ａの、コネクタ収容空間１４に臨む面１４ａ（内面）である。この実施の形態では、反射面１６は、出射光１７を反射することで、コネクタ収容空間１４内面の出射光減衰吸収部として機能する部位に、反射光１８を照射する機能を果たす。
なお、出射光減衰吸収部は、光コネクタ１１からの出射光１７を効果的に減衰、吸収できるものであれば、特に限定は無く、例えば、コネクタ収容空間１４内面に形成した塗膜や蒸着膜、コネクタ収容空間１４内面に固着させたフィルム等によって形成しても良い。
【００１５】
これにより、光ファイバ１２からの伝送光が、光コネクタ用キャップ１０内に収容されている光コネクタ１１先端（詳しくは接合端面１３。より詳しくは、接合端面１３に露出されている光ファイバ１２先端）からコネクタ収容空間１４内に出射されても、この出射光１７が反射面１６で反射した反射光１８が光コネクタ１１に戻って、光ファイバ１２に入射されることで、光通信のノイズ等の原因になるといった不都合を防止できる。さらに、前記反射光１８が出射光減衰吸収部（ここでは、コネクタ収容空間１４内面のうち、前記反射面１６を避けた部位）によって、減衰、吸収されるため、光ファイバ１２への反射光１８の入射を確実に防止できる。
【００１６】
反射面１６としては、例えば、コネクタ収容空間１４内面に取り付けた反射板や、反射膜等によって、高い反射率を有するミラーに形成されたものも採用できるが、プラスチック等で形成された光コネクタ用キャップ１０のコネクタ収容空間１４内面自体、あるいは、該内面の研磨等の加工によって反射率を高めたもの等であっても、充分に機能するものを得ることができる。したがい、この光コネクタ用キャップ１０であれば、例えば、プラスチック等の安価な材料で形成されたものであっても、コネクタ収容空間１４内面に反射面１６を形成するだけで、光コネクタ１１からの出射光１７のコネクタ収容空間１４内での反射光の、光コネクタ１１の接合端面１３への照射防止を、低コストで実現できる。
【００１７】
出射光減衰吸収部（ここでは内面１４ａ）は、出来るだけ広範囲で反射光１８の減衰、吸収を行う構成であることがより好ましく、図１に例示した構成では、コネクタ収容空間１４内面のうちの前記出射光減衰吸収部として機能する部位の前記反射面１６に対する傾斜角度θによって、反射面１６からの反射光１８の照射面積を増大している。また、反射光１８を出来るだけ広範囲で減衰、吸収するための出射光減衰吸収部の構成としては、例えば、光コネクタ用キャップ１０の内部構造によって（換言すれば、コネクタ収容空間１４の内面形状）、反射面１６からの反射光１８を、コネクタ収容空間１４を介して対向する内面の間で繰り返し反射させたり、あるいは反射面１６をも利用してコネクタ収容空間１４内で繰り返し反射させ、反射の度に減衰、吸収していく構成など、各種構成が採用可能である（但し、反射光１８が、光コネクタ１１の接合端面１３に照射されないようにする）。この場合、コネクタ収容空間１４内面としては、反射面１６から反射された反射光１８を、該コネクタ収容空間１４内面への照射時に完全に吸収してしまうのではなく、前記反射光１８の内の一部を反射させる構成であることが、減衰、吸収を出来るだけ広範囲で行うようにする点で、好ましい。
【００１８】
このように、出来るだけ広範囲で反射光１８の減衰、吸収を行う構成であれば、光コネクタ１１から高パワーの出射光（例えば通信用のレーザ光）が出射されたとしても、この出射光がコネクタ収容空間１４内で反射された反射光が、光コネクタ用キャップ１０の極めて狭い範囲に照射されることによって、光コネクタ用キャップ１０が局所的に高温になることを防止（あるいは、緩和）でき、局所的な温度上昇による変形等の不都合を防ぐことができる。これにより、光コネクタ用キャップ１０の性能を長期にわたって安定に維持できる、等の効果が得られる。
【００１９】
なお、本発明は、前述の実施の形態に限定されず、例えば、光コネクタ用キャップ１０の具体的形状などは、本発明の主旨を変更しない範囲で、適宜、設計変更可能であることは言うまでも無い。
また、前記実施の形態では、反射面１６を、コネクタ収容空間１４内面のうち、コネクタ収容空間１４の前記開口部１５から延びる延在方向最奥部に位置する部位に形成した構成を例示したが、本発明において、コネクタ収容空間内面における反射面の形成位置は、コネクタ収容空間内面のうち、光コネクタからの出射光が照射される部位であれば良く、特に限定は無い。コネクタ収容空間内面における、光コネクタからの出射光の照射位置は、例えば、光コネクタ先端部の構造、光コネクタの端面（接合端面）の研磨角度（例えば、ＭＴ形光コネクタの接合端面の斜め研磨の研磨角度）等によって決まるため、コネクタ収容空間内面における反射面の形成位置も、コネクタ収容空間内面における、光コネクタからの出射光の照射位置に対応して、決めれば良い。
【００２０】
例を挙げて説明すると、図１に例示した光コネクタ１１では、接合端面１３及び該接合端面１３に露出されている光ファイバ１２先端面が、光ファイバ１２の光軸に対して９０度（以下、垂直面）になっており、前記光ファイバ１２先端からの出射光１７が、光コネクタ１１から光コネクタ用キャップ１０のコネクタ収容空間１４の中心軸線（詳しくは側壁部１０ａの中心軸線。想像線Ｌ）に沿った光軸を以て出射されるが、図３に示すように、接合端面１３及び該接合端面１３に露出されている光ファイバ１２先端面が、光ファイバ１２の光軸に対して９０度ではなく、前記垂直面に比べて傾斜角度α（例えば８度）を以て傾斜するように斜め研磨されており、光コネクタ１１からの出射光１７ａが、コネクタ収容空間１４の中心軸線（詳しくは側壁部１０ａの中心軸線。想像線Ｌ）に対して傾斜角度β（図３では、前記傾斜角度α＝β）を以て傾斜されている場合でも、光コネクタ用キャップ１０の反射面１６は、前記出射光１７を、該出射光１７に対して傾斜する反射光１８を形成するようにして反射するべく、出射光１７の光軸に直交する向きの面（直交面。図３中仮想線Ｍ）ではなく、前記出射光１７が照射される部位が、前記直交面Ｍに対して傾斜角度γを以て傾斜されている傾斜面（あるいは曲面）に形成される。例えば、光コネクタ１１の接合端面１３の傾斜角度αが８度に対して、反射面１６の傾斜角度γを１６度程度、あるいはそれよりも大きく設定する。
なお、図３では、光コネクタは、ＭＴ形光コネクタ等の多心あるいは単心のフェルールをハウジングに収容した構成のものであり、前記端面１３はフェルールの接合端面であるが、本発明はこれに限定されず、光コネクタとして、ＭＴ形光コネクタ以外のフェルールをハウジングに収容した構成のものや、フェルール自体を光コネクタ（光コネクタプラグ）として利用したものを採用することも可能である。
【００２１】
（別の実施の形態）
本発明に係る光コネクタ用キャップにおいては、反射面単独、あるいは、反射面と出射光減衰吸収部とによって、光コネクタの端面に露出されている光ファイバからの出射光をコネクタ収容空間内で反射した反射光が、前記光ファイバに入射されないようにする機能を果たす構成に限定されず、前記反射光が光ファイバに照射されるものの、この照射光が前記光ファイバに係る通信に与える影響が、通信の支障とならない程度になっている、構成も採用可能である。
例えば、図４に示すように、光ファイバ１２に照射される前記反射光１８を、コネクタ収容空間１４内での反射によって通信の支障とならない程度に減衰した状態で光ファイバ１２に照射させたり（減衰は、例えば、出射光減衰吸収部１４ａによって行う）、前記反射光１８の、光コネクタ端面１３に露出する光ファイバ１２の光軸（図４中、符号Ｌ１）に対する入射角度（傾斜角度δ）を、通信の支障とならないように設定するようになっている構成（例えば、反射面１６と出射光減衰吸収部１４ａとによって設定）なども、本発明に係る光コネクタ用キャップとして採用できる（図４の光コネクタ用キャップに符号１０Ａを付す）。光コネクタ端面に露出する光ファイバの光軸に対する反射光の照射角度によって通信の支障とならないようにする構成とは、例えば、光コネクタ端面１３に露出する光ファイバ１２に照射させる反射光１８の、前記光ファイバ１２の光軸Ｌ１に対する傾斜角度δ（入射角度）を大きくして（例えば、９０度よりも僅かに小さい程度にすること）、光ファイバ１２の光コネクタ端面１６に露出する先端面からの反射光１８の光ファイバ１２長手方向への伝送を不可能にすること（実質的に入射不可能にすること等）や、光ファイバ１２先端面からの反射光１８の入射が可能であっても、入射された反射光の光ファイバ長手方向への伝送が、光ファイバ１２の光コネクタ端面に露出する側の先端部付近に留まって、通信機器に到達しないようになっている構成などである。また、出射光の減衰、光ファイバ１２への入射角度の調整以外、例えば、反射面１６及び／又は出射光減衰吸収部１４ａに、出射光１７（あるいは反射光１８）を分散する機能（例えば分散用反射膜の形成等）を設けることで、光コネクタ端面１３に露出する光ファイバ１２に照射される反射光１８の光パワーを減少せしめて、光ファイバ１２に係る光通信に影響を与えることを回避する構成等も採用可能である。
【００２２】
【発明の効果】
以上説明したように、本発明の光コネクタ用キャップによれば、光コネクタの先端部（詳しくは接合端面）から該光コネクタ用キャップのコネクタ収容空間内に出射された出射光を、コネクタ収容空間内に形成した反射面によって、光コネクタに戻らない方向に反射する構成であるため、前記出射光が光コネクタ用キャップ内で反射された反射光が光コネクタに戻って、光通信のノイズ等の原因になるといった不都合を確実に防止できる。また、前記反射面で反射した出射光（反射光）を、コネクタ収容空間内に設けられている出射光減衰吸収部で、減衰、吸収する構成を採用すると、光コネクタ用キャップ内で反射された反射光が光コネクタに戻ることを、より確実に防止できる。
さらに、反射面での反射によって、コネクタ収容空間内の出来るだけ広範囲での、前記出射光の減衰、吸収が可能になるため、これにより、前記出射光の直接照射、吸収によって、キャップが局所的に加熱された状態となって、変形するといった不都合を回避できるようになり、光コネクタ用キャップの性能を、長期にわたって安定に維持でき、長寿命化を図れる、といった優れた効果が得られる。
また、本発明の光コネクタ用キャップでは、光コネクタ端面に露出する光ファイバからの出射光をコネクタ収容空間内にて反射した反射光を、光ファイバに係る通信に影響を与えない程度に減衰した上で、光コネクタ端面に露出する光ファイバに戻したり、光ファイバ長手方向への伝送が困難な入射角度を以て前記光コネクタ端面に露出する光ファイバに照射することで、反射光が、通信に悪影響を与えないようにする構成も採用可能であり、この構成によっても、光コネクタ用キャップを光コネクタに装着したときにキャップ内での反射光（光コネクタ端面に露出する光ファイバからの出射光が光コネクタ用キャップ内で反射した反射光）に起因する通信ノイズ等の不都合の発生を防止できる。
【図面の簡単な説明】
【図１】本発明の一実施形態の光コネクタ用キャップを光コネクタに装着した状態を示す拡大断面図である。
【図２】本発明の一実施形態の光コネクタ用キャップ及び該光コネクタ用キャップを適用する光コネクタの一例を示す図であって、（ａ）は装着前の状態を示す正面図、（ｂ）は装着状態を示す正面図、（ｃ）は（ｂ）の正断面図である。
【図３】本発明の光コネクタ用キャップの別態様であり、接合端面が斜め研磨されている光コネクタに適用される構成の一例を示す断面図である。
【図４】本発明の光コネクタ用キャップの別態様を示す図であって、光コネクタ端面に露出する光ファイバからの出射光を、コネクタ収容空間内で反射させて、光ファイバに係る通信に影響が無いように、光コネクタ端面に露出する光ファイバに照射する構成の光コネクタ用キャップを示す断面図である。
【図５】従来例の光コネクタ用キャップを光コネクタに装着した状態を示す断面図である。
【符号の説明】
１０，１０Ａ…光コネクタ用キャップ、１１…光コネクタ、１１ａ…光コネクタの先端部、１２…光ファイバ、１３…光コネクタの突き合わせ接続用の端面、１４…コネクタ収容空間、１４ａ…出射光減衰吸収部（コネクタ収容空間の内面）、１６…反射面、１７…出射光、１８…反射光。
【図１】
2004325522.tif 000003
【図２】
2004325522.tif 000004
【図３】
2004325522.tif 000005
【図４】
2004325522.tif 000006
【図５】
2004325522.tif 000007